【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
ステントを有し、
環状ループを有し、
遠位端を有する長手部材を有し、該遠位端は、前記環状ループに連結されており、かつ、
組織固定具を有し、該組織固定具は、前記環状ループが該組織固定具の中央の長手方向軸を中心として位置するように、かつ、前記環状ループと前記長手部材と前記ステントとに対して回転し得るように、前記環状ループに連結されている、
装置。
【請求項２】
前記装置が、チューブをさらに備え、該チューブは、前記ステントにより画定される管腔を貫通する大きさを有し、かつ該チューブの回転によって前記組織固定具が回転するように、前記組織固定具に取り外し可能に連結されるように構成されている、請求項１に記載の装置。
【請求項３】
前記組織固定具には通路が形成されており、かつ、前記チューブは細長の連結具を備え、該細長の連結具は最初に前記通路に通してあり、それにより前記チューブが前記組織固定具に連結されている、請求項２に記載の装置。
【請求項４】
前記チューブが前記組織固定具に取り外し可能に連結されている場合、前記チューブの長手部分は前記長手部材と並んで配置され、かつ該チューブのいかなる部分も前記長手部材の周囲に配置されない、請求項２に記載の装置。
【請求項５】
前記装置が、アダプタホルダをさらに備え、前記アダプタホルダは、前記チューブに連結されており、かつ径方向に広がる性向を有するアームを画定する形状を有し、かつ前記アームが径方向に圧縮されているときに前記チューブを前記固定具に連結するものである、請求項２に記載の装置。
【請求項６】
前記装置が、前記ステントにより画定される管腔を貫通する大きさの運搬ツールオーバーチューブをさらに備え、前記チューブが、該運搬ツールオーバーチューブを貫通するように構成されており、かつ該オーバーチューブは、前記アームを包囲する位置に置かれたときに前記アームを径方向に圧縮するように構成されている、請求項５に記載の装置。
【請求項７】
前記装置がアダプタをさらに備え、前記アダプタは、前記環状ループを貫通する円筒部を画定する形状を有し、かつ前記組織固定具の近位部に固定的に連結された遠位部を有し、かつ、前記チューブが、前記アームが径方向に圧縮されると、前記アダプタホルダを介して前記アダプタに取り外し可能に連結され、それにより前記組織固定具に取り外し可能に連結されるように構成されている、請求項５に記載の装置。
【請求項８】
前記装置がさらにアダプタを備え、前記アダプタは、前記環状ループを貫通する円筒部を画定する形状を有し、かつ前記組織固定具の近位部に固定的に連結された遠位部を有し、かつ、前記チューブが、前記アダプタに取り外し可能に連結され、それにより前記組織固定具に取り外し可能に連結されるように構成されている、請求項２に記載の装置。
【請求項９】
前記装置が、前記ステントにより画定される管腔を貫通する大きさの運搬ツールオーバーチューブをさらに備え、前記チューブは、該運搬ツールオーバーチューブを貫通するように構成されている、請求項２に記載の装置。
【請求項１０】
前記装置が、アダプタをさらに備え、該アダプタは、前記環状ループを貫通する円筒部を画定する形状を有し、かつ前記組織固定具の近位部に固定的に連結された遠位部を有する、請求項１−９のいずれか１項記載の装置。
【請求項１１】
前記ステントが、複数の互いに接続された超弾性金属製の支材を備える、請求項１−９のいずれか１項記載の装置。
【請求項１２】
前記ステントが、１以上の細長部材を備え、かつ、２以上のリングを備え、該２以上のリングが、該１以上の細長部材によって互いに連結され、かつ、該ステントのその他の部材によっては互いに連結されていない、請求項１−９のいずれか１項記載の装置。
【請求項１３】
前記環状ループが、閉じたリングを定める形状となっている、請求項１−９のいずれか１項記載の装置。
【請求項１４】
前記長手部材が、可撓性を有するものである、請求項１−９のいずれか１項記載の装置。
【請求項１５】
圧縮状態および拡張状態をとるように構成されたステントを有し、該ステントは、
１以上の細長部材と、
該１以上の細長部材によって互いに連結されており、該ステントの他の部材では互いに連結されていない２以上のリングであって、該ステントが拡張状態にあるとき、前記細長部材に対して略垂直な各々の平面を画定する前記２以上のリングと
を備えており、
遠位端と、前記ステントに連結された近位端とを持った、長手部材を有し、かつ、
前記長手部材の前記遠位端に連結された組織固定具を有する、
装置。
【請求項１６】
前記ステントが厳密に２個のリングを備える、請求項１５に記載の装置。
【請求項１７】
前記ステントが厳密に１つの細長部材を備える、請求項１５に記載の装置。
【請求項１８】
前記細長部材が互いに連結された２以上のワイヤを備える、請求項１７に記載の装置。
【請求項１９】
前記細長部材のうちの１つが、少なくとも部分的に前記長手部材の延長である、請求項１５−１８のいずれか１項記載の装置。
【請求項２０】
前記各リングが、前記ステントが拡張状態にあるとき、外径が１０から３５ｍｍの間である、請求項１５−１８のいずれか１項記載の装置。
【請求項２１】
張力装置を備える装置であって、該張力装置は、
開口を画定する、径方向に拡張可能な固定具を有し、
長手部材を有し、該長手部材は、遠位端と近位端を持ち、前記径方向に拡張可能な固定具の前記開口を貫通して前記径方向に拡張可能な固定具とスライド可能に連結されており、かつ、
前記長手部材の前記遠位端に連結された組織固定具を有し、
前記径方向に拡張可能な固定具および前記長手部材は、前記径方向に拡張可能な固定具が前記長手部材にロック可能であるように構成されており、それにより、前記径方向に拡張可能な固定具が前記長手部材に対して、前記長手部材の近位端に向かう少なくとも近位方向に移動するのが防止される、
前記装置。
【請求項２２】
前記長手部材の少なくとも一部が、ラチェット歯を画定する形状を有し、該ラチェット歯は、前記径方向に拡張可能な固定具と係合し、それによって前記径方向に拡張可能な固定具の前記長手部材に対する近位方向の移動が防止される、請求項２１に記載の装置。
【請求項２３】
前記径方向に拡張可能な固定具が前記長手部材に対して移動しないように、前記径方向に拡張可能な固定具が前記長手部材に圧着されるように構成されている、請求項２１に記載の装置。
【請求項２４】
前記径方向に拡張可能な固定具が、径方向に拡張すると厳密に１つの平面に概ね収まるように構成されている、請求項２１に記載の装置。
【請求項２５】
前記径方向に拡張可能な固定具が、径方向に拡張すると、花弁および羽からなる群から選択される少なくとも一つの形状を画定するような形状を有する、請求項２１に記載の装置。
【請求項２６】
前記装置が、前記径方向に拡張可能な固定具が径方向に圧縮した状態で前記張力装置を内部に最初に収納する配置チューブをさらに備える、請求項２１−２５のいずれか１項記載の装置。
【請求項２７】
組織固定具を備えた装置であって、該組織固定具は、径方向に縮小された状態および径方向に拡張された状態をとるように構成されており、かつ該組織固定具は、
支柱を有し、該支柱は、遠位組織穿孔先端具を持ち、かつ、その最大外径が１．８ｍｍ以下であり、
複数のリブを有し、該複数のリブは、前記支柱と関節をなすことができるように、前記遠位先端具近くで前記組織固定具に連結されており、
ランナーを有し、該ランナーは、前記支柱に沿ってスライド可能なように、前記支柱に連結されており、かつ、
複数のストレッチャを有し、該複数のストレッチャは、前記ランナーおよび前記リブの各一つと関節をなすことができるように、前記ランナーおよび前記リブの各一つに連結されている、
前記装置。
【請求項２８】
前記装置が、前記組織連結具を最初に径方向に縮小された状態で収納するカテーテルをさらに備える、請求項２７に記載の装置。
【請求項２９】
前記装置が、前記カテーテル内に収納されたインナーチューブをさらに備え、かつ前記ランナーの近位端が前記インナーチューブに最初は取り外し可能に連結されている、請求項２８に記載の装置。
【請求項３０】
前記ランナーの近位端の外面がねじ切り加工されている、請求項２７−２９のいずれか１項記載の装置。
【請求項３１】
前記組織固定具が少なくとも部分的に記憶形状合金を備える、請求項２７−２９のいずれか１項記載の装置。